(57)【要約】【解決手段】  本発明は、スクリーン上、下部に上、下段棒を付着して、上段棒は固定し下段棒によりスクリーンを巻き上げて使用時には広げるように構成するが、上段棒の左、右側面に磁石が結合されることができる鉄構造のリングを構成し、下段棒の左、右側面に磁石を構成して下段棒でスクリーンを巻き上げるとき、下段棒の左右側端の磁石が上段棒の左、右側端のリングと結合し、必要時に分離することによりスクリーンの携帯、移動が簡単で、スクリーン固定時に左、右にねじれないため製品の美麗性が増大される。
2005539272.tif 000002
【特許請求の範囲】
【請求項１】
スクリーンの構成を、上、下段棒の間にスクリーンを付着して構成し、下段棒によりスクリーンを巻き上げることができるよう構成した壁掛けスクリーンにおいて、
スクリーン上段棒の左、右側端に鉄(Ｓｔｅｅｌ)のように磁性のある材質で加工したリングを付着し、
スクリーン下段棒の左、右側端に磁石を結合構成することにより、
携帯、移動時には下段棒によりスクリーンを巻き上げれば下段棒の左、右側の磁石が上段棒のリングと結合し、使用時には上記磁石とリングを分離させてスクリーンとして使用することができることを特徴とする壁掛けスクリーン。
【請求項２】
請求項１において、リング部分に磁石がリング内部と結合することができる溝を形成したことを特徴とする壁掛けスクリーン。
【請求項３】
請求項１において、上段棒の後面には付着装置を結合し、下段棒の後段部には付着装置を別途に壁に付着し、これをスクリーンの下段棒と結合構成してスクリーンが安定に付着、固定されることを特徴とする壁掛けスクリーン。
【請求項４】
請求項１において、上段棒のリング構成と下段棒の磁石構成を相互位置を交換して構成したことを特徴とする壁掛けスクリーン。
【発明の詳細な説明】
【技術分野】
【０００１】
本発明は、携帯に便利な映写用スクリーンの中で軌道型（ｔｒａｃｋ  ｔｙｐｅ）巻上式壁掛けスクリーンに関するものであり、スクリーンの下段棒両側に磁石構造体を付着してスクリーンの使用及び携帯を容易にすることができる巻上式壁掛けスクリーンに関するものである。
【背景技術】
【０００２】
従来、壁掛けスクリーンは図１に示すように、上、下段棒に巻物のようにスクリーン（１０）を巻いて紐（１１）で縛って保管していた。そして、使用時にはスクリーン（１０）を縛ってある紐（１１）をほどいて使用し、携帯時にはいちいち紐（１１）を縛るという煩わしさがあった。特に、このように紐で縛って保管していた場合、スクリーン表面の縛られていた部分がしわになり、スクリーンの上、下段棒が相互にねじれスクリーン自体の周辺が伸びるなど、多くの問題点と製品の外観上の綺麗さを低下させるという問題点があった。
【発明の開示】
【発明が解決しようとする課題】
【０００３】
本発明は、上記問題点に鑑みてなされたものであって、映写用スクリーンの中で巻上式壁掛けスクリーン、より詳しくは、スクリーンの下段棒両側に磁石構造体を付着することによってスクリーンの使用及び携帯を容易にすることができる壁掛けスクリーンを提供することにある。
【課題を解決するための手段】
【０００４】
上記目的を達成するために本発明は、次の構成を備えている。
【０００５】
すなわち、本発明に係る壁掛けスクリーンは、上、下段棒の間にスクリーンを付着して構成し、下段棒によりスクリーンを巻き上げることができるよう構成した壁掛けスクリーンにおいて、スクリーン上段棒の左、右側端に鉄(Ｓｔｅｅｌ)のように磁性のある材質で加工した溝付き（ｇｒｏｏｖｅ  ｓｈａｐｅｄ）リングを付着し、スクリーン下段棒の左、右側端に磁石を結合構成することにより、携帯、移動時には下段棒によりスクリーンを巻き上げれば下段棒の左、右側の磁石が上段棒のリングと結合し、使用時には上記磁石とリングを分離させてスクリーンとして使用することができることを特徴とする。
【０００６】
好ましくは、壁掛けスクリーンの前記リング部分に磁石がリング内部と結合することができる溝を形成する。
【０００７】
好ましくは、壁掛けスクリーンの前記上段棒の後面には付着装置を結合し、下段棒の後段部には付着装置を別途に壁に付着し、これをスクリーンの下段棒と結合構成してスクリーンが安定に付着、固定されるように構成する。
【０００８】
好ましくは、壁掛けスクリーンの前記上段棒のリング構成と下段棒の磁石構成を相互位置を交換して構成する。
【発明を実施するための最良の形態】
【０００９】
本発明については、本発明の最良の形態を示す図面を参照しながら、以下においてより完全に説明する。しかし、本発明の形態は異なる形式にも適用可能であって、以下に述べる実施形態に限定されるものではない。当然ながら、これらの実施形態は、十分かつ完全な開示を行っており、当該技術分野の当業者に対して発明の範囲を完璧にもたらすものである。各図面に示す番号は、明細書全体を通して対応する部材を示している。
【００１０】
本発明は、スクリーン下段棒(２)の両側に磁石を付着し、スクリーン(３)使用時にはスクリーンの上段棒(１)から下段棒(２)のスクリーン(３)を分離して広げるとスクリーン(３)として使用が簡単であり、携帯時にはスクリーン(３)を巻き上げてスクリーンの上、下段棒(１,２)が磁石により付着することによりスクリーン(３)表面に損傷なく、携帯が簡単であり、スクリーン(３)の上、下段棒(１,２)の左右へのねじれがないよう考案したものである。
【００１１】
図２及び図３に示すように、本発明は上段棒(１)と下段棒(２)をそれぞれ構成し、上記した上、下段棒(１,２)の間にスクリーン(３)を付着して携帯時には下段棒(２)を巻き上げ、使用時には広げることができるよう構成する。
【００１２】
上段棒(１)左、右両端に鉄(Ｓｔｅｅｌ)などの磁性に強く作用する材料で形成されたリング(４)を付着し、下段棒(２)の左、右両端には磁石(５)を付着して構成する。
このような構成は、上段棒(１)と下段棒(２)のリング(４)と磁石(５)の構成を相互位置を変えて構成することもできる。
【００１３】
このような本発明は、図６に示すように上段棒(１)の後段部にゴム吸盤または相互付着したり分離させたりすることができるスナップボタンなど、既に公知の付着装置(６)を結合させて構成することもでき、下段棒(２)の裏面には下段棒(２)と別途分離構造で上記リング(４)を構成するが、その裏面に付着装置(７)を結合構成する。
また、上記リング(４)中段には、Ｌ字またはＵ字形態の磁石を挿入することができる溝を形成する。
【００１４】
図７に示すように、必要に応じて公知のスクリーン支持台(８)を別途に構成結合して、固定設置して使用も可能であり、スクリーン(３)の構成をロール形態の透過型スクリーンを構成して使用することもできる。
【００１５】
図８に示すように、上段棒(１)の両端に下段棒(２)を挿入することができる挿入口(１０)を形成した支持台(９)を構成し鉄で形成されたリング(４)を円形の一部形態に構成し下段棒(２)の磁石(５)の両端にハンドル(１１)を構成することができる。
【００１６】
このような本発明は図２ａに示すように使用時には、上、下段棒(１,２)を広げて使用し、携帯、移動時には図２ｂに示すように、下段棒(２)に連結されたスクリーン(３)を下段棒(２)に巻き上げれば下段棒(２)左、右端に付着された磁石(５)により上段棒(１)の左右に付着された鉄で形成されたリング(４)と付着するようになる。
【００１７】
このような発明は図４に示すように、上段棒(１)の左、右側のリング(４)内部の溝部位に磁石(５)が結合されて付着効果が増大する。
即ち、図５に示すように、このような本発明は下段棒(２)にスクリーン(３)を巻き上げたあとに、上、下段棒(１,２)を密着させなければならないため、上、下段棒(１,２)の両端のリング(４)と磁石(５)を円形に構成するしかない。
この場合、上、下段棒(１,２)の両端にリング(４)と磁石(５)の形態を円形にのみ構成するときには図５ａに示すように結合接点(Ａ)が非常に小さくなり小さい力でも容易に上、下段棒(１,２)を分離することができる。
【００１８】
しかし、本発明のように磁石(５)が結合されることができるリング(４)部分に溝を形成すると、図５ｂに示すように、結合接点(Ｂ)が磁石の左、右側面とリング(４)の前、後面に拡大されるため、磁石(５)とリング(４)の結合がそれだけ強くなれる。また、それだけでなく、リング(４)の左、右端に結合された下段棒(２)の磁石(５)は左、右にねじれないため、スクリーン(３)の左、右面が伸びることを防止することができる。
【００１９】
また、図６に示すように、上段棒(１)の後段に付着装置(６)を結合するとき、本発明のスクリーンの壁面への設置が簡単であり、下段棒(２)を巻き上げると磁石(５)により結合されるため、スクリーン(３)自体には損傷が全く生じない。
また、図８に示すように、上段棒(１)の両端の挿入口(１０)に挿入された下段棒(２)はリング(４)に磁石(５)が固定されて離脱防止などの安定効果があり、ハンドル(１１)を回して下段棒(２)を巻くとき、下段棒(２)のスクリーン(３)を安定に巻いて携帯することができる。
【００２０】
また、図８に示すように、上段棒(１)の両端の挿入口(１０)に挿入された下段棒(２)はリング(４)に磁石(５)が固定されて離脱防止などの安定効果があり、ハンドル(１１)を回して下段棒(２)を巻くとき、下段棒(２)のスクリーン(３)を安定に巻いて携帯することができる。
【産業上の利用可能性】
【００２１】
従って、本発明はフロントスクリーンや、透過型スクリーンのスクリーン(３)自体を巻き上げたり広げたりして使用する際に便利であり、携帯時、別途の紐で縛らないため見た目が綺麗である。また、壁や天井に簡単に付着することもでき、スクリーン(３)が揺れないように固定することもでき、携帯時、上、下段棒(１,２)が互いにねじれないため安定的な携帯が可能である。
【００２２】
本発明のスクリーンを使用する時は、下段棒(２)の後段位置にリング(４)と付着装置(７)を結合壁面に付着し下段棒(２)の磁石(５)と結合するときスクリーン(３)が揺れず安定に固定することができるため、携帯用、家庭用、会議用スクリーンとして活用が可能である。
【図面の簡単な説明】
【００２３】
【図１】従来の壁掛けスクリーンの説明図である。
【図２】本発明スクリーン構成の外形を説明する説明図である。
【図３】本発明スクリーンの磁石部分の説明図である。
【図４】本発明スクリーンの磁石部分の詳細説明図である。
【図５】本発明スクリーンの磁石接点の説明図である。
【図６】本発明の応用構成時の説明図である。
【図７】本発明スクリーンをスタンドに結合使用したときの説明図である。
【図８】本発明スクリーンの応用時の構造説明図である。
【図１】
2005539272.tif 000003
【図２】
2005539272.tif 000004
【図３】
2005539272.tif 000005
【図４】
2005539272.tif 000006
【図５】
2005539272.tif 000007
【図６】
2005539272.tif 000008
【図７】
2005539272.tif 000009
【図８】
2005539272.tif 000010
【国際調査報告】
2005539272.tif 000011